(57)【特許請求の範囲】
【請求項１】
基体とパイルを備えてなり、前記パイルは、その基部が基体に結合された状態で基体上に配設されているパイル保持体であって、
前記パイルの外形は、基体の表面に対し起立した軸心線を中心とする、少なくとも端部側が端部に向かって略球面状に縮径する回転曲面状をなし、
前記パイルは、その軸心線の少なくとも基部から、ほぼ放射状をなすように密に配された繊維製の線条体を多数有し、
前記パイルの基部の基体側を除くパイルの外形の表面部は、前記各線条体の先端部により形成されており、
前記パイルは、その高さ／基部直径の比が１／２乃至３／１であり、基体の表面に対し自立性を有するものであることを特徴とするパイル保持体。
【請求項２】
上記パイルの基部における線条体が、基体の表面に対し平行状をなす請求項１記載のパイル保持体。
【請求項３】
上記パイルが、繊維製の線条体を飾り糸とするモール糸によるループ部が、そのモール糸の芯糸を中心として撚り合わさることにより、上記軸心線の少なくとも基部に芯糸を主とする芯部を形成すると共に、端部に向かって略球面状に縮径する回転曲面状の表面部を前記線条体の先端部が形成するものである請求項１又は２記載のパイル保持体。
【請求項４】
上記パイルにおける上記線条体が、０．０５乃至０．８デニールの非吸水性のフィラメントである請求項１乃至３の何れか１項に記載のパイル保持体。
【請求項５】
上記非吸水性のフィラメントが、ポリエステル系、ポリアミド系、ポリプロピレン系又はポリエチレン系のフィラメントである請求項４記載のパイル保持体。
【請求項６】
上記非吸水性のフィラメントの吸水率が、２０℃相対湿度６５％において５％以下である請求項４記載のパイル保持体。
【請求項７】
上記パイルにより吸水するためのものである請求項１乃至６の何れか１項に記載のパイル保持体。
【請求項８】
基体上に上記パイルが多数配設されてなる請求項１乃至７の何れか１項に記載のパイル保持体。
【請求項９】
基体上に多数配設されたパイルの少なくとも一部のパイル群において、各パイルと、それに隣接する他の２以上のパイルにおける、軸心線の基部同士の間隔／パイルの基部直径の比が１／２乃至３／２である請求項８記載のパイル保持体。
【請求項１０】
上記基体が基布である請求項１乃至９の何れか１項に記載のパイル保持体。
【請求項１１】
上記パイルの高さ／基部直径の比が１／２乃至１／０．５である請求項１乃至１０の何れか１項に記載のパイル保持体。
【請求項１２】
上記パイルの高さ／基部直径の比が１／０．９乃至１／０．５である請求項１乃至１０の何れか１項に記載のパイル保持体。
【発明の詳細な説明】
【技術分野】
【０００１】
本発明は、基体上に自立性を有するパイルが配設された、パイルマット、清掃用払拭布、履物又はその他の態様のパイル保持体に関する。
【背景技術】
【０００２】
特許第３１７７８３３号公報（特許文献１）には、接着性樹脂を有しないパイルと接着性樹脂によって繊維がセットされたパイルが混在するパイル層によって表面が覆われていることを特徴とする足拭きマットの発明が記載されている。
【０００３】
この足拭きマットは、セットパイルが剛直な麻糸のように足裏を刺激してサラットした爽快感を与え、使用中に足拭きマットがベトツキ感を帯び難く、頻繁に取り替えずに済むようになるものとされている。
【０００４】
特開２００３−１１１７０８号公報（特許文献２）には、シート状基部の底部の少なくとも主要部に、カットパイルを満遍なく有する拭掃除用のカットパイル部を備えると共に、前記シート状基部の縁部からその外方にわたり、前記カットパイル部により少なくとも主たる拭方向に拭かれる清掃対象面を拭くように多数のループパイルが配設され、前記カットパイル及びループパイルが実質上０．００１デニール以上０．５デニール以下の極細繊維からなり、前記カットパイル及びループパイルにおける極細繊維は、少なくともそれらのカットパイル及びループパイルの基部を除く部分が互いに分離状態をなす乾拭き用清掃布の発明が記載されている。
【０００５】
また特開２００３−１１１７０７号公報（特許文献３）には、シート状基部の底部の少なくとも主要部に、カットパイルを満遍なく有する拭掃除用の底部カットパイル部を備えると共に、前記シート状基部の縁部のうち、少なくとも前記底部カットパイル部の主な拭方向に交差する縁部の一つが、底部カットパイル部から側部に連続してカットパイルを備える縁部カットパイル部に形成され、シート状基部の上面部のうち縁部カットパイル部を除く部分に、モップの柄の基部に連結された清掃布保持体の底面側に清掃布を保持するための着脱可能な結合手段を有し、前記カットパイルが実質上０．００１デニール以上０．５デニール以下の極細繊維からなり、前記カットパイルにおける極細繊維は、少なくともそのカットパイルの基部を除く部分が互いに分離状態をなすものであり、実質上１デニール以上の太繊維からなるカットパイルにより構成された太繊維カットパイル部を前記シート状基部の底部に部分的に有する水拭き用清掃布の発明が記載されている。
【０００６】
これらの乾拭き用清掃布と水拭き用清掃布は、何れも、清掃対象を拭くためのシート状基部の底部の少なくとも主要部に０．００１デニール以上０．５デニール以下の極細繊維からなるカットパイルを満遍なく有し、これらのカットパイルにおける極細繊維は、少なくともそのカットパイルの基部を除く部分が互いに分離状態をなすものである。
【０００７】
しかしながら、上記足拭きマット並びに乾拭き用清掃布及び水拭き用清掃布におけるパイルは、何れも、自立性や、その自立性に基づく弾力性や種々の物質の吸収や取り込みの性能の向上及び維持について十分に考慮されているとは言い難いものであった。
【特許文献１】特許第３１７７８３３号公報
【特許文献２】特開２００３−１１１７０８号公報
【特許文献３】特開２００３−１１１７０７号公報
【発明の開示】
【発明が解決しようとする課題】
【０００８】
本発明は、従来技術に存した上記のような課題に鑑み行われたものであって、その目的とするところは、自立性を有し、その自立性に基づき弾力性や種々の物質の吸収や取り込みの性能の向上及び維持が実現されるパイルが基体上に配設された、パイルマット、清掃用払拭布、履物又はその他の態様のパイル保持体を提供することにある。
【課題を解決するための手段】
【０００９】
(1) 上記目的を達成する本発明のパイル保持体は、
基体とパイルを備えてなり、前記パイルは、その基部が基体に結合された状態で基体上に配設されているパイル保持体であって、
前記パイルの外形は、基体の表面に対し起立した軸心線を中心とする、少なくとも端部側が端部に向かって略球面状に縮径する回転曲面状をなし、
前記パイルは、その軸心線の少なくとも基部からほぼ放射状をなすように密に配された繊維製の線条体を多数有し、
前記パイルの基部の基体側を除くパイルの外形の表面部は、前記各線条体の先端部により形成されており、
前記パイルは、その高さ／基部直径の比が１／２乃至３／１であり、基体の表面に対し自立性を有するものであることを特徴とする。
【００１０】
パイルの外形は、基体の表面に対し起立した軸心線を中心とする、少なくとも端部側が端部に向かって略球面状に縮径する回転曲面状をなし、パイルは、その軸心線の少なくとも基部からほぼ放射状をなすように密に配された線条体（例えば各種合成繊維フィラメント、合成繊維若しくは天然繊維ステープル糸等）からなり、パイルの基部の基体側を除くパイルの外形の表面部は、前記各線条体の先端部により形成されていて、パイルの高さ／基部直径の比が１／２乃至３／１と基部直径に比し高さが比較的低い。
【００１１】
そのため、パイルは自立性を有すると共に押圧に対し柔軟な弾力性を有し、種々の物質をパイルに吸収したり取り込んだりする性能に優れる。すなわち、パイルにおける線条体の密度は、パイルの表面部から内方部（軸心線の少なくとも基部）に向かうほど高くなり、毛管現象により、パイルの内方部に向かって強い吸液力が作用するので、パイルは、線条体の先端部が位置する表面部から内方部に向かって迅速に比較的多量の液体（汚れ若しくは他の物質を含有しない又は汚れ若しくは他の物質を含有する水又はその他の液体を単に「水」若しくは「水分」又は「液」若しくは「液体」とも言う。）を吸収し得る。而も、そのパイルの自立性、柔軟な弾力性、並びに吸収や取り込み等の性能が長期にわたり維持される。
【００１２】
基体の表面に対し起立した軸心線としては、基体の表面に対し垂直状をなす軸心線が最も望ましいが、その他、例えば、基体の表面に対し６０度乃至９０度程度、又は７０度若しくは８０度乃至９０度程度をなす軸心線を挙げることができる。
【００１３】
パイルの外形の例としては、端部側が端部に向かって略球面状に縮径する回転曲面状をなし、基部側は略円柱形状の回転曲面状をなすもの、基部から端部にわたり端部に向かって略球面状に縮径する回転曲面状をなすものを挙げることができる。
【００１４】
線条体は、パイルの軸心線の少なくとも基部からほぼ放射状をなすように密に配される。すなわち、放射状をなす線条体の中心となるのはパイルの軸心線の少なくとも基部である。軸心線の基部のみが中心となる場合、前述のパイルの外形は、例えば、基部から端部にわたる全体がほぼ端部に向かって略球面状に縮径する回転曲面状をなすものとなるか、或いは、端部側が端部に向かって略球面状に縮径する回転曲面状をなし、基部側は略円柱形状の回転曲面状をなし、その基部側の略円柱形状部分は軸線方向寸法が短くなる。軸心線の基部を含む長い部分が中心となる場合、前述のパイルの外形は、例えば、端部側が端部に向かって略球面状に縮径する回転曲面状をなし、基部側は略円柱形状の回転曲面状をなし、その基部側の略円柱形状部分は軸線方向寸法が長めになる。
【００１５】
なお、必ずしも放射状となっていない線条体をパイルに一部含んでいても、直ちに本発明の範囲を逸脱するものではない。
【００１６】
(2) 上記本発明のパイル保持体は、上記パイルの基部における線条体が、基体の表面に対し平行状をなすものであることが望ましい。
【００１７】
この場合、パイルの基部における線条体が、基体の表面に対し平行状をなすためパイルの自立を支持する作用を発揮する、パイルは、自立性においてより高く、押圧に対する柔軟な弾力性により富んだものとなる。基体の表面に対し平行状というのは、先端に向かってやや下向きの線条体や先端に向かってやや上向きの線条体を含む。
【００１８】
上記各本発明のパイル保持体は、上記パイルの高さ／基部直径の比が１／２乃至１／０．５であることが好ましい。
【００１９】
パイルの高さ／基部直径の比が１／２乃至１／０．５である場合、パイルの自立性がより高くなる。なお、パイルの高さ／基部直径の比は、例えば１／０．９乃至１／０．５とすることができる。
【００２０】
(3) また、上記各本発明のパイル保持体は、上記パイルが、上記線条体を飾り糸とするモール糸によるループ部が、そのモール糸の芯糸を中心として撚り合わさることにより、上記軸心線の少なくとも基部に芯糸を主とする芯部を形成すると共に、少なくとも端部側が端部に向かって略球面状に縮径する回転曲面状の表面部を線条体の先端部が形成するものとすることができる。
【００２１】
この場合のパイルは、モール糸によるループ部が、そのモール糸の芯糸を中心として撚り合わさることにより、すなわち、ループ部を構成するモール糸のうち、ループ部の一方の基部から端部までを構成する部分と他方の基部から端部までを構成する部分とが、両部分の芯糸を中心として撚り合わさることにより、パイルの軸心線の少なくとも基部に芯糸を主とする芯部を形成し、その芯部から多数の線条体がほぼ放射状に密に配された状態となり、それらの線条体の先端部が、端部に向かって略球面状に縮径する回転曲面状の表面部を形成する。
【００２２】
(4) また上記各本発明のパイル保持体は、上記パイルにおける上記線条体が、０．０５乃至０．８デニールの非吸水性のフィラメントであるものとすることが望ましい。
【００２３】
この場合、パイルの外形は、基体の表面に対し起立した軸心線を中心とする、少なくとも端部側が端部に向かって略球面状に縮径する回転曲面状をなし、パイルは軸心線の少なくとも基部からほぼ放射状をなすように密に配された０．０５乃至０．８デニールの極めて細い非吸水性のフィラメントからなり、パイルの基部の基体側を除く外形の表面部は、各フィラメントの先端部により形成される。
【００２４】
パイルにおけるフィラメントの密度は、パイルの表面部から内方部（軸心線の少なくとも基部）に向かうほど高くなる。そのため、毛管現象により、パイルの内方部に向かって強い吸水力が作用するので、パイルは、フィラメントの先端部が位置する表面部から軸心線の少なくとも基部に向かって迅速に吸水し得る。逆に、吸水したパイルの先端部は、毛管現象により、水分含有率が低い状態となる。而も、パイルの基部の基体側を除く外形の表面部は非吸水性のフィラメントの先端部により形成されているので、繊維が占める面積が比較的小さく、且つ繊維自体が非湿潤状態を維持する。そのため、水分を吸収した状態のパイルの表面部は比較的乾燥した状態を維持し易く、べとつき感が生じにくい。
【００２５】
従って、このパイルは、水分を迅速に吸水し得、且つべとつき感が生じにくい高吸水高乾燥性を実現し得る。而も、パイルを構成するフィラメントが非吸水性であるという材質と、そのフィラメントがパイルの軸心線の少なくとも基部からほぼ放射状をなすように密に配され、パイルの基部の基体側を除く外形の表面部が各フィラメントの先端部により形成されているという構造との両者よりして、遠心脱水性又はその他の脱水性及び脱水後の乾燥性に優れる。
【００２６】
(5) 上記非吸水性のフィラメントは、ポリエステル系、ポリアミド系、ポリプロピレン系又はポリエチレン系のフィラメントであるものとすることができる。
【００２７】
また、上記パイル保持体のパイルにおける上記非吸水性のフィラメントは、上記のような効果を奏し得る程度の非吸水性であればよく、例えば、吸水率が２０℃相対湿度６５％において５％以下であるものとすることができる。
【００２８】
(6) 上記各パイル保持体は、上記パイルにより吸水するためのものとすることができる。
【００２９】
(7) また上記各パイル保持体は、基体上に上記パイルが多数配設されてなるものとすることができる。
【００３０】
更に、基体上に多数配設されたパイルの少なくとも一部のパイル群において、各パイルと、それに隣接する他の２以上のパイルにおける、軸心線の基部同士の間隔／パイルの基部直径の比が１／２乃至３／２であるものとすることができる。
この場合、前記パイル群においてパイルが密設された状態となり、パイルの起立性がより維持されるものとなる。特に、各パイルと、それに隣接する他の２以上のパイルにおける、軸心線の基部同士の間隔／パイルの基部直径の比が１／２以上１／１未満である場合、パイル同士が重なり合ってパイルの密設度が一層高くなり、パイルの起立性がより一層維持されるものとなる。
【００３１】
(8) また上記各パイル保持体は、上記基体が基布であるものとすることができる。
【００３２】
(9) 本発明のパイル保持体は、例えばマット状をなすもの又はモップ用払拭布等の清掃用の払拭布を構成するものとすることができる。基布が、使用者の手を挿入し得る袋状部に形成され、その袋状部の外側の全体又は部分にパイルを有する払拭具とすることもできる。
更に例えば、本発明のパイル保持体は、各種家具、スリッパ等の履物その他の物に用いることができる。
【発明の効果】
【００３３】
本発明のパイル保持体は、自立性を有し、その自立性に基づき弾力性や種々の物質の吸収や取り込みの性能の向上及び維持が実現されるパイルが基体上に配設されたものであり、パイルマット、清掃用払拭布、履物又はその他の態様のパイル保持体を構成し得る。
【発明を実施するための最良の形態】
【００３４】
本発明の実施の形態を、図面を参照しつつ説明する。
【００３５】
(1) 図１乃至図３は何れも本発明の実施の形態の一例としての足拭用パイルマットについてのものであって、図１は模式的正面図、図２はパイルの模式的拡大横断面図、図３は、モール糸によりパイルを形成する工程の一部を示す模式図である。
【００３６】
この足拭用パイルマットＡは、上半部が略半球形状（略半球形状部Ｐａ）をなし下半部が略円柱形状をなすパイルＰ（高さ／基部直径の比はほぼ１／１）が、基布Ｓ（基体）上に多数密設されてなり、各パイルＰの基部は、基布Ｓに結合されている。
【００３７】
各パイルＰは、０．３デニールの非吸水性のポリエステルフィラメントＦ（線条体）を飾り糸とするモール糸Ｍにより形成されている。すなわち、図３に示すように、基布Ｓに対し、モール糸Ｍによる縫い目によってループ部Ｒを形成した後、ループ部Ｒを構成するモール糸Ｍのうち、ループ部Ｒの一方の基部から端部までを構成する部分と他方の基部から端部までを構成する部分が、両部分の芯糸Ｃを中心として撚り合わさる。これにより、図１に示すように、パイルＰの軸心線のうち少なくとも下部（基部）に芯糸Ｃを主とする起立状の芯部Ｗを形成し、その芯部Ｗから多数のフィラメントＦがほぼ放射状に密に配された状態となり、それらのフィラメントＦの先端部が、パイルＰの上半部が上端部に向かって略球面状に縮径する回転曲面状の表面部を形成するパイルＰを形成したものである。
例えば、強撚モール糸Ｍを用い、基布Ｓに対しモール糸Ｍによるループ部Ｒを形成した後、熱処理（染色工程における熱処理が好ましい）を行うことにより各ループ部Ｒがそのモール糸Ｍの芯糸Ｃを中心として撚り合わさるものとすることができる。
【００３８】
このようなモール糸Ｍによる縫い目の列を多数並列状に設けることにより、基布Ｓ上の所要の面に多数のパイルＰが配設された状態とすることができる。そのようにして基布Ｓ上の所要の面に多数のパイルＰが配設された状態とした場合、モール糸Ｍによる各縫い目列におけるステッチ（縫い目の間隔）は、何れも、各パイルと、それに隣接する他のパイルにおける、軸心線の基部同士の間隔に対応する。また、ゲージ（隣接する縫い目列同士の間隔）は、隣接する縫い目列の一方におけるパイルと他方におけるパイルの軸心線の基部同士の間隔のうち最小のものに対応する。図1の例では、軸心線の基部同士の間隔（ステッチ）／パイルの基部直径の比は、５／４である。ステッチの位置を含めて縫い目列を多数並列させ、そのゲージを５／４とすることにより、各パイルと、それに隣接する他の２以上のパイルにおける、軸心線の基部同士の間隔／パイルの基部直径の比が５／４で、縦横に整列したパイル保持体が形成される。
【００３９】
フィラメントＦの長さを、パイルＰの基部直径と同等であるか、それよりもやや長い長さとし、芯部Ｗの高さがパイルＰの高さの１／２程度となるようにすることによって、高さ／基部直径の比がほぼ１／１で上半部の外形が略半球形状（略半球形状部Ｐａ）をなし下半部の外形が略円柱形状をなすパイルＰを形成し得る。
【００４０】
なお、図１の右端のパイルＰは、高さ／基部直径の比がほぼ１／２で全体の外形が略半球形状（略半球形状部Ｐａ）をなす。このパイルＰは、フィラメントＦの長さを、パイルＰの基部直径と同等であるか、それよりもやや長い長さとし、パイルＰの軸心線の基部が芯部Ｗとなるようにすることによって形成し得る。
【００４１】
基布Ｓ上に多数配設されているパイルＰは、軸心線の下部の芯部Ｗから０．３デニールの極めて細い非吸水性のフィラメントＦがほぼ放射状をなすように密に配され、パイルＰの基部の基布Ｓ側を除く外形の表面部は、各フィラメントＦの先端部により形成されていている。
【００４２】
パイルＰの略円柱形状の下半部においては、基布Ｓに対しほぼ直立状をなす芯部Ｗを中心として、はほぼ径方向に放射状をなすようにフィラメントＦが密設され且つ軸線方向に密設された状態をなし、パイルＰの略半球形状の上半部においては、芯部Ｗの上端部を中心としてほぼ径方向に放射状をなすようにフィラメントＦが密設された状態をなすので、パイルＰの基部の基体側を除く何れの部分においても、芯部Ｗに向かうほどフィラメントＦの密度が高くなる。
【００４３】
そのため、毛管現象により、パイルＰの軸心線の下部の芯部Ｗに向かって強い吸水力が作用するので、各パイルＰは、フィラメントＦの先端部が位置する表面部から芯部Ｗが位置する軸心線の下部に向かって比較的多量の水を迅速に吸水し得る。
【００４４】
逆に、吸水したパイルＰにおける略半球形状をなす上半部（略半球形状部Ｐａ）の表面部及び略円柱形状をなす下半部の外周面部は、毛管現象により、水分含有率が低い状態となる。而も、略半球形状をなす上半部の表面部及び略円柱形状をなす下半部の外周面部は、非吸水性のフィラメントＦの先端部により形成されているので、繊維が占める面積が比較的小さく、且つ繊維自体が非湿潤状態を維持する。そのため、水分を吸収した状態のパイルＰの表面部は比較的乾燥した状態を維持し易く、べとつき感が生じにくい。
【００４５】
また、パイルＰの高さ／基部直径の比がほぼ１／１であって基部直径に比し高さが比較的低く、パイルＰの基部におけるフィラメントＦが基布Ｓの表面に対し平行状をなすためパイルＰの自立を支持する作用を発揮する。そのため、パイルＰは基布Ｓの表面に対する自立性が高く、押圧に対し柔軟な弾力性に富むと共に、そのパイルＰの自立性及び柔軟な弾力性、並びに水分吸収性や表面部の乾燥性等の性能が長期にわたり維持される。
【００４６】
従って、このパイルマットＡは、パイルＰを踏んだ足に対し、パイルＰの自立性及び押圧に対する柔軟な弾力性により、適度な刺激を与える。またこのパイルマットＡは、湯上りの濡れた足等の水分を迅速に吸水し得、而もべとつき感が生じにくい高吸水高乾燥性を実現し得ると共に、各パイルＰを構成するフィラメントＦが非吸水性であるという材質と、そのフィラメントＦがパイルＰの軸心線の下部の芯部Ｗからほぼ放射状をなすように密に配され、略半球形状をなす上半部（略半球形状部Ｐａ）の表面部及び略円柱形状をなす下半部の外周面部が各フィラメントＦの先端部により形成されているという構造との両者よりして、遠心脱水性又はその他の脱水性及び脱水後の乾燥性に優れる。その上、これらの各機能が、パイルＰの自立性により、長期にわたり維持される。
【００４７】
フィラメントＦは、例えば０．０５乃至０．８デニールとすることができ、好ましくは０．１乃至０．５デニール、より好ましくは０．２乃至０．４デニールである。フィラメントＦの材質は、ポリエステル系の他、例えば、ポリアミド系、ポリプロピレン系又はポリエチレン系のフィラメントＦを用いることができる。
【００４８】
芯糸Ｃは、吸水性糸および／または非吸水性糸とすることができる。芯糸Ｃの一部若しくは全部として熱融着糸を用いて飾り糸としてのフィラメントＦを融着したモール糸Ｍの場合、フィラメントＦの脱落を確実性高く防ぐことができる。
【００４９】
基布Ｓは、吸水性繊維からなるものとすることができる。各パイルＰの基部は基布Ｓに結合されているので、パイルＰが吸収した水分を基布Ｓが更に吸収することにより、基布Ｓ上に配設された多数のパイルＰが吸水し得る水分の総量を増大させてパイルＰにべとつき感が生じることをより効果的に防ぐことができる。なお、基布Ｓは必ずしも吸水性繊維からなるものであることを要しない。
【００５０】
パイルの形状は、その基部の基体側を除く表面の形状が、例えば、全部が、半球面状、１／２以下、又は１／２以上の球面状又は楕円球面状、放物面状であるものとすることができる。これらは何れも略球面状である。また、パイルの形状は、その基部の基体側を除く表面の形状が、例えば、端部側が半球面状、１／２以下、又は１／２以上の球面状又は楕円球面状、放物面状（すなわち、略球面状）であり、基部側が略円柱形状又は略円錐台形状であるものとすることができる。
【００５１】
パイルの高さは、例えば３乃至８０ｍｍとすることができる。好ましくは５乃至５０ｍｍ、より好ましくは８乃至４０ｍｍである。
【００５２】
パイルマットＡ又はその他のパイル保持体における複数のパイルは、同一形状及び同一サイズであるものとすることができるが、形状及びサイズが異なる複数種のパイルを備えたものとすることもできる。パイルは基布又はその他の基体に対し密に設けることにより、例えばパイル間に基布又は基体が見えない程度の状態にすることもでき、パイルを基布又は基体に対し等間隔に設けることができるが、必ずしもこれらに限らない。
【００５３】
基体としては、基布（例えばフェルト、織布、不織布、編物等）以外に、例えばパイルを設けることが可能なシート状材料（例えば皮革、合成樹脂材料、合成ゴム材料等）を用いることができる。
【００５４】
線条体としては、例えば、各種合成繊維フィラメント、合成繊維若しくは天然繊維ステープル糸等を用いることができ、必ずしも非吸水性のフィラメントに限らない。
【００５５】
パイルを構成する線条体として非吸水性フィラメント以外の線条体を用いた場合、パイルは自立性を有すると共に押圧に対し柔軟な弾力性を有し、種々の物質をパイルに吸収したり取り込んだりする性能に優れ、線条体の先端部が位置する表面部から内方部に向かって迅速に比較的多量の液体を吸収し得る。而も、そのパイルの自立性、柔軟な弾力性、並びに吸収や取り込み等の性能が長期にわたり維持される。
【００５６】
(2) 図４は本発明の実施の形態の一例としての払拭具についての模式的正面図である。
【００５７】
この払拭具Ｂは、上記と同様のパイルＰ、すなわち端部側（下半部）が略半球形状（略半球形状部Ｐａ）をなし基部側（上半部）が略円柱形状をなすパイルＰ（高さ／基部直径の比はほぼ１／１）が、基布Ｓ（基体）の一方の面（図４における下面）に多数密設されてなるものであり、各パイルＰの基部は基布Ｓに結合されている。
【００５８】
基布Ｓの他方の面（図４における上面）には、モップヘッド（図示せず）の下面に設けられる一方の面ファスナー部材に着脱するための他方の面ファスナー部材Ｄが設けられている。これにより、払拭具Ｂをモップヘッドに着脱可能とするものである。なお、モップ用の払拭具の態様はこれに限るものではない。例えば、上面側にモップヘッドの両端部を挿入してモップヘッドに取り付けるための挿入部を備えるものや、払拭部の両側に払拭部を有しないシート状部（基布の一部でもよい）を備え、そのシート状部をモップヘッドの上側に設けた保持部により保持してモップヘッドに取り付けるもの等であってもよい。
【００５９】
各パイルＰにおいて、毛管現象により軸心線の基部に位置する芯部Ｗに向かって強い吸水力が作用するので、各パイルＰは、フィラメントＦの先端部が位置する表面部から芯部Ｗが位置する軸心線の基部に向かって比較的多量の水（汚れを含有しない又は汚れを含有する水分）を、汚れを含有する場合には汚れと共に、迅速に吸水し得る。水分を吸収した状態のパイルの略円柱形状外周部は比較的乾燥した状態を維持し易い。従って、この払拭具は、ウエット状態若しくはドライ状態での払拭清掃用、或いは、水洗いやウエット払拭清掃後の清掃対象物についての水分拭き取り用等として効果的に使用することができる
【００６０】
而も、パイルＰは基布Ｓの表面に対する自立性が高く、押圧に対し柔軟な弾力性に富むと共に、そのパイルＰの自立性及び柔軟な弾力性、並びに水分吸収性や表面部の乾燥性等の性能及び払拭清掃性能が長期にわたり維持される。
【００６１】
また、各パイルＰを構成する線条体が非吸水性のフィラメントである場合、フィラメントが非吸水性であることと、そのフィラメントＦがパイルＰの軸線を中心としてほぼ径方向に放射状をなすように密設され且つ軸線方向に密設され、また、パイルＰの略半球形状部ＰａはフィラメントＦが放射状に配されて略凸曲面状をなし、パイルＰの略円柱形状外周面及び先端部の略凸曲面状部は各フィラメントＦの先端部により形成されているという構造との両者よりして、払拭部の各パイルの洗浄後等における遠心脱水性又はその他の脱水性及び脱水後の乾燥性に優れる。
【００６２】
(3) 図５及び図６は、本発明の実施の形態の一例としてのスリッパ（履物の一例）についてのものであって、そのうち図５は模式的縦断面図、図６は模式的拡大横断面図である。
【００６３】
このスリッパＧは、履いた状態の足が位置する部分（すなわち、スリッパＧを履いた状態において足の裏側、甲側の前部、爪先部及び前側部が位置する部分）に臨む箇所の全てが、一方の面に上記と同様のパイルＰが多数配設されてなる基布Ｓにより構成されている。すなわち、スリッパＧの底上部Ｇ１（爪先内下部Ｇ２を含む）及び甲内部Ｇ３（爪先内部Ｇ４、爪先内上部Ｇ５及び前内側部Ｇ６を含む）に、基布Ｓが設けられている。而も、基布ＳにおけるパイルＰは、履いた状態の足が位置する部分に臨むように設けられている。なお本発明の履物は、履いた状態の足が位置する部分に臨む箇所の全てにパイルを有することを必ずしも要しないことは言うまでもない。なお、基布としては、例えばフェルト、織布、不織布、編物等を用いることができ、基布以外に、パイルを設けることが可能なシート状材料（例えば皮革、合成樹脂材料、合成ゴム材料等）を用いてパイルを備えた履物を構成することができる。
【００６４】
各パイルＰにおいて、毛管現象により軸心線の基部に位置する芯部Ｗに向かって強い吸水力が作用するので、各パイルＰは、フィラメントＦの先端部が位置する表面部から芯部Ｗが位置する軸心線の基部に向かって比較的多量の水を迅速に吸水し得る。水分を吸収した状態のパイルの略円柱形状外周部又は略凸曲面状先端部の外周面部は比較的乾燥した状態を維持し易く、べとつき感が生じにくい。
【００６５】
また、各パイルＰを構成する線条体が非吸水性のフィラメントである場合、フィラメントが非吸水性であることと、そのフィラメントＦがパイルＰの軸線を中心としてほぼ径方向に放射状をなすように密設され且つ軸線方向に密設され、また、パイルＰの略半球形状部ＰａはフィラメントＦが放射状に配されて略凸曲面状をなし、パイルＰの略円柱形状外周面及び先端部の略凸曲面状部は各フィラメントＦの先端部により形成されているという構造との両者よりして、スリッパＧの履いた状態の足が位置する部分に設けられている各パイルの外周面部は、更に乾燥した状態を維持し易く、べとつき感がより生じにくい。而も洗浄後等における遠心脱水性又はその他の脱水性及び脱水後の乾燥性に優れる。
【００６６】
従って、このスリッパＧを履いた場合、底上部Ｇ１（爪先内下部Ｇ２を含む）及び甲内部Ｇ３（爪先内部Ｇ４、爪先内上部Ｇ５及び前内側部Ｇ６を含む）にそれぞれ設けられた多数のパイルＰ、すなわち、足の裏側、甲側の前部、爪先部及び前側部が位置する部分に臨む多数のパイルＰが、湯上り、シャワー、水泳、水遊び、海水浴の後等における濡れた足の水分を迅速に吸水して、スリッパＧを履いた状態の足に対し素早く乾燥感を与えることができる。
【００６７】
また、このスリッパは、パイルＰを踏んだ足に対し、パイルＰの自立性及び押圧に対する柔軟な弾力性により、適度な刺激を与える。またこのパイルマットＡは、湯上りの濡れた足等の水分を迅速に吸水し得、而もべとつき感が生じにくいという特性を実現し得、これらの各機能が、パイルＰの自立性により、長期にわたり維持される。
【００６８】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００６９】
【図１】模式的正面図である。
【図２】パイルの模式的拡大横断面図である。
【図３】モール糸によりパイルを形成する工程の一部を示す模式図である。
【図４】払拭具についての模式的正面図である。
【図５】スリッパの模式的縦断面図である。
【図６】スリッパの模式的拡大横断面図である。
【符号の説明】
【００７０】
Ａ      パイルマット
Ｃ      芯糸
Ｆ      フィラメント
Ｍ      モール糸
Ｐ      パイル
Ｐａ    略半球形状部
Ｒ      ループ部
Ｓ      基布
Ｗ      芯部
Ｂ      払拭具
Ｄ      面ファスナー部材
Ｇ      スリッパ
Ｇ１    底上部
Ｇ２    爪先内下部
Ｇ３    甲内部
Ｇ４    爪先内部
Ｇ５    爪先内上部
Ｇ６    前内側部
【図１】
0005201721.tif 000002
【図２】
0005201721.tif 000003
【図３】
0005201721.tif 000004
【図４】
0005201721.tif 000005
【図５】
0005201721.tif 000006
【図６】
0005201721.tif 000007